(57)【特許請求の範囲】
【請求項１】
利用者が、一方の駅の改札通路を通って、この一方の駅の駅構内から一旦出場し、その後、他方の駅の改札通路を通って、この他方の駅の駅構内に入場して線路を乗り継ぐ２ラッチ乗継駅の前記一方の駅に設置され、この一方の駅の改札通路を通って駅構内から出場する利用者に対して改札処理を行う自動改札機において、
乗車券の券面に印刷されている発行番号を含む乗車券情報を光学的に読み取る読取手段と、
前記読取手段が読み取った乗車券情報を用いて、駅構内からの利用者の出場を許可するかどうかを判定するとともに、この乗車券が前記他方の駅に入場できる乗車券であるかどうかを判定する判定手段と、
前記判定手段が駅構内からの利用者の出場を許可すると判定した場合に、前記一方の駅での出場を制限する乗車券として、この乗車券の発行番号を含むネガ情報を出力するネガ情報出力手段と、
前記判定手段が駅構内からの利用者の出場を許可すると判定した場合に、前記他方の駅での入場を許容する乗車券として、この乗車券の発行番号を含む乗継者出場情報を出力する乗継者出場情報出力手段と、を備えた自動改札機。
【請求項２】
前記乗継者出場情報出力手段は、前記判定手段が前記他方の駅に入場できる乗車券でないと判定した場合に、前記乗継者出場情報を出力しない、請求項１に記載の自動改札機。
【請求項３】
任意の駅に設置されている乗車券発行装置が発行した前記他方の駅に入場できる乗車券について、その乗車券の発行番号を含む乗継券情報を受信する受信手段と、
前記受信手段が受信した前記乗継券情報を記憶する乗継券情報記憶手段と、を備え、
前記判定手段は、前記読取手段が読み取った乗車券情報と、前記乗継券情報記憶手段が記憶する前記乗継券情報と、に基づいて、この乗車券が前記他方の駅に入場できる乗車券であるかどうかを判定する、請求項１、または２に記載の自動改札機。
【請求項４】
前記ネガ情報を受信したときに、そのネガ情報を記憶するネガ情報記憶手段を備え、
前記判定手段は、前記ネガ情報記憶手段がネガ情報を記憶している乗車券については、駅構内からの利用者の出場を許可しないと判定する、請求項１〜３のいずれかに記載の自動改札機。
【発明の詳細な説明】
【技術分野】
【０００１】
この発明は、利用者が、一方の駅の改札通路を通って、この一方の駅の駅構内から一旦出場し、その後、他方の駅の改札通路を通って、この他方の駅の駅構内に入場して線路を乗り継ぐ２ラッチ乗継駅に設置され、駅構内から出場する利用者に対して改札処理を行う自動改札機に関する。
【背景技術】
【０００２】
従来、鉄道の駅では、駅構内に入場する利用者や、駅構内から出場する利用者に対する改札処理を自動改札機で行っている。自動改札機は、周知のように、改札通路を通って駅構内に入場する利用者や、駅構内から出場する利用者が所持している乗車券に記録されている乗車券情報を読み取る。そして、自動改札機は、読み取った乗車券情報に基づいて、改札通路における利用者の通行（駅構内への入場や駅構内からの出場）を許可するかどうかを判定する。自動改札機は、改札通路における利用者の通行を許可する場合、その利用者にとって出口側に設けられた扉を開し、反対に許可しない場合、この扉を閉する。
【０００３】
また、一般的に、券売機で発行するキップ（乗車券）が、乗車券情報を磁気データで記録した磁気券であった。このため、自動改札機には、投入された磁気券を搬送する構成や、搬送している磁気券に対する磁気データの読み取りや、書き込みを行う構成が、磁気券を処理するための構成として設けられていた。そして、この磁気券を処理するための構成を設けることが、自動改札機本体の小型化やコストダウンを妨げる要因の１つであった。また、券売機や精算機等の各種の駅務機器にも、磁気券を処理する構成を設けなければならず、磁気券を使用することが、これらの駅務機器についても、小型化やコストダウンを妨げる要因であった。
【０００４】
そこで、乗車券情報を券面に２次元バーコード（所謂、ＱＲコード）で印刷したキップを処理する自動改札機が特許文献１で提案されている。この自動改札機は、読取部に翳された２次元バーコードを光学的に読み取る構成であることから、磁気券を処理する構成を不要にでき、自動改札機本体の小型化やコストダウンが図れる。また、券売機等の他の駅務機器においても、磁気券を処理する構成が不要になることから、これらの駅務機器についても、小型化やコストダウンが図れる。さらに、磁気記録面を設けていないキップが使用できるので、使用済みのキップの再利用が容易に行えるとともに、キップの発行にかかるコスト（特に用紙にかかるコスト）も低減できる
一方、  ２次元バーコードで券情報を券面に印刷したキップは、コピーすることで、簡単に偽造できることから、偽造券に対するセキュリティが必要になる。特許文献１では、このセキュリティを以下の構成で確保している。
【０００５】
券売機は、発行したキップの発行番号を含む発行情報を上位装置に通知する。この発行番号は、発行した券の券面に２次元バーコードで印刷されている乗車券情報に含まれている。上位装置は、券売機が発行したキップ毎に、そのキップが使用される可能性の高い駅の自動改札機に対して発行情報を通知する。各自動改札機は、上位装置から通知された発行情報を記憶する。また、各自動改札機は、２次元バーコードで印刷されている乗車券情報を読み取ると、読み取った乗車券情報と、記憶している発行情報と、を照合し、適正なキップであるかどうかを判定している。また、各自動改札機は、通行を許可したキップについて乗車券情報を上位装置に通知し、上位装置が各自動改札機に対して、この乗車券情報を、これ以降入場を拒否するネガ情報として他の自動改札機に通知する。各自動改札機は、読み取った乗車券情報と、記憶している発行情報と、を照合するときに、ネガ情報が登録されているキップについては通行を拒否する。
【特許文献１】特開２００６−  ５９２４９号公報
【発明の開示】
【発明が解決しようとする課題】
【０００６】
しかしながら、鉄道網には、一方の駅の改札通路を通って、この一方の駅の駅構内から一旦出場し、その後、他方の駅の改札通路を通って、この他方の駅の駅構内に入場して線路を乗り継ぐ２ラッチ乗継駅がある。２ラッチ乗継駅を利用して線路を乗り継ぐ利用者は、乗車駅でキップを購入し、このキップで乗車駅に入場し、２ラッチ乗継駅の一方の駅から出場する。このため、この利用者が購入したキップの発行情報がネガ情報として登録される。したがって、利用者は、線路の乗り継ぎのために、２ラッチ乗継駅の他方の駅で入場するときに、上述したネガ情報によって改札通路の通行が許可されない。すなわち、特許文献１は、２ラッチ乗継駅における利用者の線路の乗り継ぎについては考慮しておらず、２ラッチ乗継駅における利用者の乗継を適正に処理することができなかった。
【０００７】
この発明の目的は、券面に印刷されている乗車券情報を光学的に読み取り、２ラッチ乗継駅での利用者の乗り継ぎにかかる改札処理を適正に処理することができる自動改札機を提供することにある。
【課題を解決するための手段】
【０００８】
この発明の自動改札機は、上記課題を解決し、その目的を達するために、以下のように構成している。
【０００９】
この自動改札機は、利用者が、一方の駅の改札通路を通って、この一方の駅の駅構内から一旦出場し、その後、他方の駅の改札通路を通って、この他方の駅の駅構内に入場して線路を乗り継ぐ２ラッチ乗継駅の前記一方の駅に設置され、この一方の駅の改札通路を通って駅構内から出場する利用者に対して改札処理を行う。すなわち、２ラッチ乗継駅に設置される出場用自動改札機である。
【００１０】
この自動改札機では、読取手段が、乗車券の券面に印刷されている発行番号を含む乗車券情報を光学的に読み取る。乗車券情報は、例えば公知のバーコードや、２次元バーコード（所謂、ＱＲコード（登録商標））で券面に印刷されている。前記読取手段が読み取った乗車券情報を用いて、判定手段が駅構内からの利用者の出場を許可するかどうかを判定するとともに、この乗車券が他方の駅に入場できる乗車券であるかどうかを判定する。そして、前記判定手段が駅構内からの利用者の出場を許可すると判定した場合、ネガ情報出力手段が一方の駅での出場を制限する乗車券として、この乗車券の発行番号を含むネガ情報を出力する。また、前記判定手段が、この乗車券が他方の駅に入場できる乗車券であると判定した場合、乗継者出場情報出力手段が、他方の駅での入場を許容する乗車券として、この乗車券の発行番号を含む乗継者出場情報を出力する。
【００１１】
したがって、前記乗継者出場情報出力手段が出力した乗継者出場情報を、２ラッチ乗継駅の他方の駅に設置されている入場用自動改札機に取得させることによって、この入場用自動改札機に、乗車券情報を読み取った乗車券に対応する乗継者出場情報を取得していれば、駅構内への入場を許可し、反対に乗継者出場情報を取得していなければ、駅構内への入場を禁止する改札処理を行わせることができる。すなわち、２ラッチ乗継駅の他方の駅に設置されている入場用自動改札機に、利用者の乗り継ぎを適正に処理させることができる。また、ネガ情報出力手段が、出力したネガ情報を、この一方の駅に設置されている出場用自動改札機に取得させることによって、この出場用自動改札機に、乗車券情報を読み取った乗車券に対応するネガ情報を取得してれば、駅構内からの出場を禁止する改札処理を行わせることができる。これにより、乗車券の偽造や使い回し等にかかる不正使用に対するセキュリティが確保できる。
【発明の効果】
【００１３】
この発明によれば、券面に印刷されている乗車券情報を光学的に読み取り、２ラッチ乗継駅での利用者の乗り継ぎにかかる改札処理を適正に処理することができる。
【発明を実施するための最良の形態】
【００１４】
以下、この発明の実施形態である自動改札機について説明する。
【００１５】
図１は、２ラッチ乗継駅がある線路網を示す概略図である。図１では、第１の線路、および第２の線路の２つの線路を示している。駅Ａ、Ｂは、第１の線路にある駅であり、駅Ｃ、Ｄは、第２の線路にある駅である。駅Ｂ、および駅Ｃは、第１の線路と第２の線路との乗り継ぎが行える２ラッチ乗継駅である。２ラッチ乗継駅では、利用者が一方の駅から一旦出場し、その後、他方の駅に入場して線路を乗り継ぐ。また、駅Ａ、および駅Ｄは、他の線路に乗り継ぎできない駅（以下、一般駅と言う。）である。例えば、駅Ａから駅Ｄに移動する利用者は、第１の線路で駅Ａから駅Ｂに移動し、２ラッチ乗継駅である駅Ｂから出場する。その後、２ラッチ乗継駅である駅Ｃに入場し、第２の線路で駅Ｃから駅Ｄに移動する。また、利用者は、駅Ａで購入したキップで第１の線路から第２の線路に乗り継ぐことができる。駅Ｄから、駅Ａに移動する利用者は、上記と逆の経路で移動する。
【００１６】
なお、第１の線路、および第２の線路には、駅Ａ〜Ｄ以外の駅もあるが、ここでは図示を省略している。
【００１７】
図２は、２ラッチ乗継駅がある線路網を管理する駅務システムの構成を示す概略図である。図２では、図１に示した駅Ａ〜駅Ｄを示しており、その他の駅については図示を省略している。各駅には、自動改札機１や、券売機２、さらには図示していない精算機や係員端末等の駅務機器とともに、駅サーバ３が設置されている。自動改札機１や、券売機２等の駅務機器は、ＬＡＮ等のネットワークを介して駅サーバ３に接続されている。また、各駅の駅サーバ３は、専用回線や公衆回線等のネットワークを介して、鉄道会社のセンタ装置４に接続されている。自動改札機１には、駅構内に入場する利用者に対して改札処理を行う入場用自動改札機１ａと、駅構内から出場する利用者に対して改札処理を行う出場用自動改札機１ｂと、がある。また、入場用自動改札機１ａには、一般駅である駅Ａや駅Ｄに設置される入場用自動改札機１ａａと、２ラッチ乗継駅である駅Ｂや駅Ｃに設置される入場用自動改札機１ａｂと、がある。出場用自動改札機１ｂには、一般駅である駅Ａや駅Ｄに設置される出場用自動改札機１ｂａと、２ラッチ乗継駅である駅Ｂや駅Ｃに設置される出場用自動改札機１ｂｂと、がある。これらの自動改札機１は、ハード的には略同じ構成であるが、その用途により、本体を動作させる制御プログラムが異なる。この発明の実施形態にかかる自動改札機１は、２ラッチ乗継駅である駅Ｂや駅Ｃに設置される出場用自動改札機１ｂｂである。
【００１８】
以下の説明では、用途を区別しない場合には、自動改札機１として説明し、用途を入場用と出場用とで区別する場合には自動改札機１ａ、１ｂとして説明する。さらに、用途を入場用と出場用とに加えて、一般駅用と２ラッチ乗継駅用とでも区別する場合には自動改札機１ａａ、１ａｂ、１ｂａ、１ｂｂとして説明する。
【００１９】
また、駅サーバ３には、一般駅である駅Ａや駅Ｄに設置される一般駅用駅サーバ３ａと、２ラッチ乗継駅である駅Ｂや駅Ｃに設置される乗継駅用駅サーバ３ｂと、がある。これらの駅サーバ３も、自動改札機１と同様に、ハード的には略同じ構成であるが、その用途により、本体を動作させる制御プログラムが異なる。以下の説明では、用途を区別しない場合には、駅サーバ３として説明し、用途を一般駅用と２ラッチ乗継駅用とで区別する場合には駅サーバ３ａ、３ｂとして説明する。
【００２０】
なお、ここでは、２ラッチ乗継駅である駅Ｂ、および駅Ｃに、それぞれ駅サーバ３ｂが設置されている構成としているが、１つの駅サーバ３ｂで２ラッチ乗継駅である駅Ｂ、および駅Ｃに設置されている駅務機器を管理する構成としてもよい。
【００２１】
券売機２は、駅の改札口付近に設置され、利用者に対して乗車券であるキップを発行する。各駅の券売機２は、キップを発行するときに、そのキップの発行番号を駅サーバ３から取得する。券売機２は、発行番号や発行時刻を含む乗車券情報を２次元バーコード（所謂、ＱＲコード）で券面に印刷したキップを乗車券として発行する。
【００２２】
図３は、自動改札機の主要部の構成を示すブロック図である。自動改札機１は、制御部１１と、記憶部１２と、読取部１３と、通信部１４と、扉開閉部１５と、を備えている。制御部１１は、自動改札機１本体各部の動作を制御する。また、制御部１１には、現在の日時を計時するタイマが設けられている。記憶部１２は、メモリやハードディスク等の記憶媒体を有し、駅サーバ３から送信されてきた発行情報、乗継券情報、乗継者出場情報、およびネガ情報を必要に応じて記憶する。発行情報、乗継券情報、乗継者出場情報、ネガ情報の詳細については後述する。発行情報は、入場用自動改札機１ａに記憶される。乗継券情報は、２ラッチ乗継駅に設置されている出場用自動改札機１ｂｂに記憶される。乗継者出場情報は、２ラッチ乗継駅に設置されている入場用自動改札機１ａｂに記憶される。ネガ情報は、出場用自動改札機１ｂに記憶される。すなわち、自動改札機１は、その用途に応じて、記憶部１２に記憶する情報が異なる。読取部１３は、キップの券面に印刷されている２次元バーコードを光学的に読み取り、このキップの乗車券情報を取得する。通信部１４は、駅サーバ３との間におけるデータ通信を制御する。扉開閉部１５は、改札通路の出口側に設けた扉を開閉し、この改札通路における利用者の通行を制限する。制御部１１は、読取部１３がキップから読み取った乗車券情報と、記憶部１２に記憶している情報（発行情報、乗継券情報、乗継者出場情報、ネガ情報等）と、を用いて、この利用者に対する改札通路の通行可否を判定し、この判定結果に基づいて扉の開閉を扉開閉部１５に指示する。扉開閉部１５は、制御部１１からの指示にしたがって扉を開閉する。
【００２３】
図４は、券売機の主要部の構成を示す図である。券売機２は、制御部２１と、通信部２２と、現金処理部２３と、操作部２４と、キップ発行部２５と、を備えている。制御部２１は、券売機２本体各部の動作を制御する。また、制御部２１には、現在の日時を計時するタイマが設けられている。通信部２２は、駅サーバ３との間におけるデータ通信を制御する。現金処理部２３は、利用者が投入した紙幣や硬貨を受け付けるとともに、必要に応じて釣り銭を利用者に放出する。ここでは、この現金処理部２３を、利用者に対して発行するキップにかかる価値を現金で精算する構成として説明するが、プリペイドカードやクレジットカード等の媒体を受け付け、この媒体で精算する構成であってもよい。操作部２４は、利用者に対して操作案内画面を表示する表示器や、この表示器の画面上に貼付されたタッチパネルを有し、利用者による入力操作を受け付ける。キップ発行部２５は、券面に乗車券情報を２次元バーコードで印刷したキップを発行する。キップ発行部２５は、乗車券情報を、例えば厚さが０．１ｍｍの用紙に２次元バーコードで印刷し、発行する。図５は、券売機で発行されたキップを示す図である。図示するように、発行されたキップの券面には、２次元バーコードが印刷されているとともに、利用者等が確認できるように、乗車券情報の一部が文字で印刷されている。キップ発行部２５には、この２次元バーコードを印刷し、キップとして発行する用紙がセットされている。
【００２４】
図６は、駅サーバの構成を示す図であり、図７はセンタ装置の構成を示す図である。駅サーバ３は、制御部３１と、記憶部３２と、第１の通信部３３と、第２の通信部３４と、を備えている。制御部３１は、駅サーバ３本体の動作を制御する。記憶部３２は、制御部３１における本体の動作制御に必要な情報を記憶する。第１の通信部３３は、駅務機器との間におけるデータ通信を制御し、第２の通信部３４は、センタ装置４とのデータ通信を制御する。また、センタ装置４は、制御部４１と、記憶部４２と、通信部４３と、を備えている。制御部４１は、センタ装置４本体の動作を制御する。記憶部４２は、制御部４１における本体の動作制御に必要な情報を記憶する。通信部４３は、各駅の駅サーバ３とのデータ通信を制御する。駅サーバ３の記憶部３２や、センタ装置４の記憶部４２には、上述した発行情報、乗継券情報、乗継者出場情報、ネガ情報等が必要に応じて記憶される。
【００２５】
ここで、発行情報、乗継券情報、乗継者出場情報、ネガ情報等について説明する。上述したように、券売機２は、キップを発行するときに、そのキップの発行番号を駅サーバ３から取得する。また、券売機２は、キップを発行する毎に、発行したキップの発行情報を駅サーバ３に送信する。図８は、発行情報を示す図である。発行情報には、駅名コード、券売機コード、発行日付、発行時刻、発行券種、金額、発行番号、および処理状態コードが含まれている。駅名コードは、キップを発行した駅（すなわち、券売機２が設置されている駅）を示すコードである。券売機コードは、キップを発行した券売機２を示すコードである。発行日付は、キップの発行日を示し、発行時刻は、キップの発行時刻を示す。発行券種は、キップが大人用（１）であるか、子供用（０）であるかを示すコードである。金額は、キップの価値を示す。発行番号は、駅サーバ３が券売機２で発行されるキップ毎に付与する番号であり、発行したキップを識別するものである。処理状態コードは、この発行情報のキップを使用して利用者が駅構内に入場したかどうか（未処理（０）、または処理済（１））を示すコードである。
【００２６】
また、券売機２がキップの券面に２次元バーコードで印刷する乗車券情報には、駅名コード、券売機コード、発行日付、発行時刻、発行券種、金額、および発行番号が含まれている（図９参照）。すなわち、発行情報と、乗車券情報と、は略同じであるが、乗車券情報には処理状態コードが含まれていない点で相違する。
【００２７】
駅サーバ３は、券売機２から送信されてきた発行情報を記憶部３２に記憶する。また、駅サーバ３は、券売機２から送信されてきた発行情報を、設置されている駅の入場用自動改札機１ａおよびセンタ装置４に送信する。
【００２８】
なお、駅サーバ３は、設置されている駅の出場用自動改札機１ｂについても券売機２から送信されてきた発行情報を送信する構成であってもよい。ただし、この実施形態では、出場用自動改札機１ｂが発行情報を利用しないので、ここでは、駅サーバ３が発行情報を出場用自動改札機１ｂに送信しない構成として説明する。
【００２９】
入場用自動改札機１ａは、駅サーバ３から送信されてきた発行情報を記憶部１２に記憶する。すなわち、入場用自動改札機１ａは、設置されている駅の券売機２で発行されたキップ毎に発行情報を記憶する。また、センタ装置４は、駅サーバ３から送信されてきた発行情報を、記憶部４２に記憶する。すなわち、センタ装置４は、各駅の券売機２で発行されたキップ毎に発行情報を記憶する。また、センタ装置４は、駅サーバ３から送信されてきた発行情報のキップで、線路の乗り継ぎが行える２ラッチ乗継駅であって、且つ利用者の出場側になる駅に設置されている駅サーバ３ｂに対して、券売機２から送信されてきた発行情報を乗継券情報として送信する。すなわち、乗継券情報と、発行情報とは、同じ内容の情報である。また、センタ装置４は、乗継券情報を、一般駅の駅サーバ３ａには送信しない。また、２ラッチ乗継駅であっても、発行されたキップで線路の乗継が行えない出場側の駅の駅サーバ３ｂにも乗車券情報を送信しない。
【００３０】
駅サーバ３ｂは、センタ装置４から送信されてきた乗継券情報を記憶部３２に記憶するとともに、設置されている駅の出場用自動改札機１ｂｂに送信する。
【００３１】
なお、駅サーバ３ｂは、設置されている駅の入場用自動改札機１ａｂについてもセンタ装置４から送信されてきた乗継券情報を送信する構成であってもよい。ただし、この実施形態では、入場用自動改札機１ａｂが乗継券情報を利用しないので、ここでは、駅サーバ３ｂが乗継券情報を入場用自動改札機１ａｂに送信しない構成として説明する。
【００３２】
２ラッチ乗継駅に設置されている出場用自動改札機１ｂｂは、駅サーバ３ｂから送信されてきた乗継券情報を記憶部１２に記憶する。また、乗継券情報は、上述したように駅サーバ３ａには送信されないので、一般駅に設置されている入場用自動改札機１ａａや出場用自動改札機１ｂａが記憶することはない。
【００３３】
また、２ラッチ乗継駅の出場用自動改札機１ｂｂは、出場した利用者が所持していたキップの券面に２次元バーコードで印刷されている乗車券情報に対応する乗継券情報を記憶部１２に記憶していれば、乗継者出場情報を作成し、駅サーバ３ｂに通知する。この乗継者出場情報は、上述した乗車券情報に、利用者の通過時刻（出場にかかる改札処理を行った時刻）、および出場した駅を示す出場駅コードを追加した情報である（図１０参照）。２ラッチ乗継駅の駅サーバ３ｂは、出場用自動改札機１ｂｂから送信されてきた乗継者出場情報を記憶部３２に記憶するとともに、この乗継者出場情報をセンタ装置４に送信する。センタ装置４は、２ラッチ乗継駅の駅サーバ３ｂから送信されてきた乗継者出場情報を記憶部４２に記憶するとともに、この乗継者出場情報を、該当する利用者の入場側になる２ラッチ乗継駅の駅サーバ３ｂに送信する。
【００３４】
駅サーバ３ｂは、センタ装置４から送信されてきた乗継者出場情報を記憶部３２に記憶するとともに、この乗継者出場情報を設置されている駅の入場用自動改札機１ａｂに送信する。
【００３５】
なお、駅サーバ３ｂは、設置されている駅の出場用自動改札機１ｂｂについてもセンタ装置４から送信されてきた乗継者出場情報を送信する構成であってもよい。ただし、この実施形態では、出場用自動改札機１ｂｂが乗継者出場情報を利用しないので、ここでは、駅サーバ３ｂが乗継者出場情報を出場用自動改札機１ｂｂに送信しない構成として説明する。
【００３６】
また、出場用自動改札機１ｂは、出場した利用者が所持していたキップの発行番号を含むネガ情報を作成し、これを駅サーバ３に送信する。このネガ情報には、出場時刻（出場にかかる改札処理を行った時刻）等も含まれている。駅サーバ３は、出場用自動改札機１ｂから送信されてきたネガ情報を記憶するとともに、このネガ情報を設置されている駅の出場自動改札機１ｂに送信する。出場用自動改札機１ｂは、駅サーバ３から送信されてきたネガ情報を記憶部１２に記憶する。すなわち、駅毎に、その駅に設置されている各出場用自動改札機１ｂが、その駅のいずれかの出場用自動改札機１ｂで改札処理して出場した利用者が所持していたキップの発行番号を含むネガ情報を記憶する。
【００３７】
なお、駅サーバ３は、設置されている駅の入場用自動改札機１ａについてもネガ情報を送信する構成であってもよい。ただし、この実施形態では、入場用自動改札機１ａがネガ情報を利用しないので、ここでは、駅サーバ３がネガ情報を入場用自動改札機１ａに送信しない構成として説明する。
【００３８】
次に、この駅務システムの動作について説明する。図１１は、券売機におけるキップの発行処理を示すフローチャートである。また、図１２は、一般駅に設置されている駅サーバの動作を示すフローチャートであり、図１３および図１４は、２ラッチ乗継駅に設置されている駅サーバの動作を示すフローチャートである。また、図１５は、センタ装置の動作を示すフローチャートである。また、図１６は、一般駅に設置されている入場用自動改札機の動作を示すフローチャートであり、図１７および図１８は２ラッチ乗継駅に設置されている入場用自動改札機の動作を示すフローチャートである。さらに、図１９は、一般駅に設置されている出場用自動改札機の動作を示すフローチャートであり、図２０、および図２１は２ラッチ乗継駅に設置されている出場用自動改札機の動作を示すフローチャートである。
【００３９】
なお、図１２と、図１３、図１４と、における同じ処理、図１６と、図１７、図１８と、における同じ処理、および図１９と、図２０、図２１と、における同じ処理、については、同じステップ番号を付している。
【００４０】
まず、券売機２におけるキップの発行処理について説明する。券売機２におけるキップの発行処理は、設置されている駅が一般駅であるか、２ラッチ乗継駅であるかにかかわらず同じである。
【００４１】
図１１に示すように、券売機２は、現金処理部２３において、利用者により投入された現金を受け付ける（ｓ１）。券売機２は、操作部２４において、利用者が現金処理部２３に投入した現金で購入可能なキップを選択する入力操作を行うと（ｓ２）、駅サーバ３に対して、これから発行するキップの発行番号を要求する（ｓ３）。この要求にかかる通知は、通信部２２から駅サーバ３へ送信される。
【００４２】
図１２、および図１３に示すように、駅サーバ３は、券売機２からキップの発行番号を要求する通知を受信すると（ｓ１１）、この要求に対してユニークな発行番号を生成する（ｓ１２）。駅サーバ３は、ここで生成した発行番号を、今回発行番号を要求してきた券売機２に返信する（ｓ１３）。例えば、駅サーバ３は、券売機２に対して最後に返信した発行番号を記憶しており、この番号を１カウントアップした番号を、今回の発行番号として生成する。また、このとき、駅サーバ３は、記憶している発行番号についても１カウントアップする。この場合、駅サーバ３は、券売機２からの発行番号の要求に対して、発行番号をシリアルな番号で生成することになる。駅サーバ３は、設置されている駅が一般駅であるか、２ラッチ乗継駅であるかにかかわらず、このｓ１１〜ｓ１３にかかる処理を実行する。
【００４３】
図１１に示すように、券売機２は、通信部２２において駅サーバ３からの発行番号の通知を受信すると（ｓ４）、今回駅サーバ３から通知された発行番号を含む発行情報を作成し（ｓ５）、この発行情報に応じた乗車券情報を２次元バーコードで印刷したキップを発行する（ｓ６）。ｓ５で作成する発行情報には、図８に示す情報が含まれている。駅名コードは、この券売機２が設置されている駅を示すコードである。券売機コードは、この券売機２を示すコードである。発行日付は、今日の日付であり、発行時刻は、現在時刻である。発行券種は、ｓ２で選択されたキップが大人用であるか、子供用であるかを示す。金額は、今回発行するキップ（ｓ２で選択されたキップ）の価値を示す。発行番号は、ｓ４で駅サーバ３から受信した番号である。処理状態コードは、この時点では、この発行情報のキップを使用して利用者が駅構内に入場していないことを示す未処理となっている。また、ｓ６では、ｓ５で生成した発行情報から処理状態コード以外の項目を乗車券情報とし、キップ発行部２５において、この乗車券情報を２次元バーコードで用紙に印刷したキップを利用者に対して放出する。すなわち、キップに印刷される乗車券情報は、処理状態コードが含まれていないだけで、その他は、発行情報と同じである。また、券売機２は、利用者に対して釣り銭の放出が必要であれば、現金処理部２３において釣り銭の放出処理を行う（ｓ７、ｓ８）。さらに、券売機２は、ｓ５で作成した発行情報を駅サーバ３に通知し（ｓ９）、本処理を終了する。
【００４４】
図１２、および図１３に示すように、駅サーバ３は、券売機２から発行情報を受信すると（ｓ１４）、この発行情報を記憶部３２に記憶するとともに（ｓ１５）、この発行情報をデータ通信ラインで接続されている入場用自動改札機１ａに送信する（ｓ１６）。すなわち、駅サーバ３は、券売機２から送信されてきた発行情報を、設置されている駅の入場用自動改札機１ａに通知する。この発行情報の送信は、入場用自動改札機１ａに対する一斉同報配信により行われる。また、駅サーバ３ａは、この発行情報をセンタ装置４に送信する（ｓ１７）。駅サーバ３は、設置されている駅が一般駅であるか、２ラッチ乗継駅であるかにかかわらず、このｓ１４〜ｓ１７にかかる処理を実行する。
【００４５】
図１６、および図１７に示すように、入場用自動改札機１ａは、駅サーバ３から送信されてきた発行情報を受信すると（ｓ５１）、この発行情報を記憶部１２に記憶する（ｓ５２）。上述したように、券売機２は、キップを発行する毎に、そのキップにかかる発行情報を駅サーバ３に通知しており、また、駅サーバ３は、券売機２から通知された発行情報を、設置されている駅の入場用自動改札機１ａに送信している。したがって、入場用自動改札機１ａは、設置されている駅の券売機２で発行されたキップ毎に、その発行情報を記憶部１２に記憶する。例えば、駅Ａに設置されている券売機２で発行されたキップにかかる発行情報は、駅Ａに設置されている入場用自動改札機１ａに記憶される。また、券売機２から駅サーバ３ａに通知される発行情報は、上述したように、処理状態コードが未処理である。入場用自動改札機１ａは、設置されている駅が一般駅であるか、２ラッチ乗継駅であるかにかかわらず、このｓ５１、ｓ５２にかかる処理を実行する。
【００４６】
また、図１５に示すように、センタ装置４は、駅サーバ３から送信されてきた発行情報を受信すると（ｓ４１）、今回発行されたキップで線路の乗継が行える２ラッチ乗継駅があるかどうかを判定する（ｓ４２）。ｓ４２では、鉄道の線路網において、今回受信した発行情報のキップの価値で移動可能な範囲を検出し、ここで検出した範囲内に２ラッチ乗継駅があるかどうかを判定する。ただし、移動可能な範囲の境界に位置している２ラッチ乗継駅については、線路の乗継が行えないと判定する。センタ装置４は、線路の乗継が行える２ラッチ乗継駅があれば、今回受信した発行情報のキップを購入した利用者が線路を乗り継ぐ場合に、この利用者にとって出場側になる２ラッチ乗継駅を抽出する（ｓ４３）。例えば、駅Ａで駅Ｄまで移動可能なキップを購入した利用者については、ｓ４３で駅Ｂを抽出する。反対に、駅Ｄで駅Ａまで移動可能なキップを購入した利用者については、ｓ４３で駅Ｃを抽出する。また、駅Ａで駅Ｂまでしか移動できないキップを購入した利用者については、ｓ４２で駅Ｂ、駅Ｃを、線路の乗継が行える２ラッチ乗継駅と判定しない（線路の乗継が行えない２ラッチ乗継駅と判定する。）。ｓ４３では、複数の２ラッチ乗継駅が抽出される場合もある。センタ装置４は、ｓ４３で抽出した駅毎に、駅サーバ３ｂに対して上述した乗継券情報を送信する（ｓ４４）。上記の説明から明らかなように、センタ装置４は、一般駅に設置されている駅サーバ３ａに対して乗継券情報を送信することはない。
【００４７】
なお、センタ装置４は、ｓ４１で受信した発行情報を記憶部４２に記憶する。また、ｓ４４で送信する乗継券情報は、上述したように、今回ｓ４１で受信した発行情報である。
【００４８】
図１３に示すように、２ラッチ乗継駅に設置されている駅サーバ３ｂは、センタ装置４から送信されてきた乗継券情報を受信すると（ｓ１８）、受信した乗継券情報を記憶部３２に記憶するとともに、この乗継券情報を設置されている駅の出場用自動改札機１ｂｂに送信する（ｓ１９、ｓ２０）。一般駅に設置されている駅サーバ３ａは、上述したように、センタ装置４から乗継券情報が送信されてくることがないので、ｓ１８〜ｓ２０にかかる処理を実行することはない。言い替えれば、一般駅に設置されている駅サーバ３ａについては、ｓ１８〜ｓ２０にかかる処理を実行する機能を設ける必要がない。
【００４９】
図２０に示すように、２ラッチ乗継駅に設置されている出場用自動改札機１ｂｂは、駅サーバ３ｂから送信されてきた乗継券情報を受信すると（ｓ９１）、この乗継券情報を記憶部１２に記憶する（ｓ９２）。したがって、２ラッチ乗継駅に設置されている出場用自動改札機１ｂｂは、利用者が設置されている駅で出場し、その後、他方の駅で入場して線路を乗り継ぐことができるキップについて、乗継券情報を記憶部１２に記憶する。一般駅に設置されている出場用自動改札機１ｂａについては、駅サーバ３ａから乗継券情報が送信されてくることがないので、このｓ９１、ｓ９２にかかる処理を実行する機能を設ける必要がない。
【００５０】
次に、入場用自動改札機１ａにおける改札処理について説明する。図１６、および図１７に示すように、入場用自動改札機１ａは、改札通路を通って駅構内に入場する利用者が読取部１３に翳したキップに印刷されている２次元バーコードを読取部１３で読み取ると（ｓ５３）、ここで読み取った２次元バーコードから乗車券情報を取得する（ｓ５４）。入場用自動改札機１ａは、ｓ５４で取得した乗車券情報に含まれている駅名コードが設置されている駅を示すものであるかどうかを判定する（ｓ５５）。すなわち、利用者が所持しているキップが、設置されている駅の券売機２で発行されたものであるかどうかを判定する。
【００５１】
一般駅に設置されている入場用自動改札機１ａａは、ｓ５５で、設置されている駅で発行されたキップでないと判定すると、改札通路における利用者の通行（駅構内への入場）を禁止する（ｓ５６）。ｓ５６では、扉開閉部１５が改札通路の出口側に設けられている扉を閉する。一方、２ラッチ乗継駅に設置されている入場用自動改札機１ａｂは、後述するｓ７１以降の処理を実行する。このｓ７１以降の処理は、線路を乗り継ぐことができる利用者であるかどうかを判定することにより、改札通路における利用者の通行可否を判定する処理であり、一般駅に設置されている入場用自動改札機１ａａでは、必要のない処理である。
【００５２】
入場用自動改札機１ａは、ｓ５５で設置されている駅の券売機２で発行されたキップであると判定すると、ｓ５４で取得した乗車券情報によって、発行時刻からの経過時間が予め定められている時間内であるかどうかを判定する（ｓ５７）。具体的に言うと、ｓ５４で取得した乗車券情報に含まれている発行日付が当日で、且つ発行時刻からの経過時間が予め定められている時間内であるかどうかを判定する。通常、利用者は、キップを購入すると、すぐに入場用自動改札機１ａの改札通路を通って駅構内に入り、鉄道を利用する。また、券売機２は、入場用自動改札機１ａの近くに設置されており、券売機２から入場用自動改札機１ａまでの利用者の移動時間は数分である。このことから、殆どの利用者は、券売機２でキップを購入してから、１０分以内に入場用自動改札機１ａの改札通路を通行し、駅構内に入場しているというのが現状である。また、キップの購入後、自分の好みに合う広告や商品等に気がついて、すぐに駅構内に入場しない利用者もいるが、このような利用者であっても、キップの購入から２０〜３０分以内に駅構内に入場している。言い換えれば、キップの購入から３０分を超えて駅構内に入場する利用者は、殆どいないと推定される。このことから、この入場自動改札機１ａは、ｓ５７で発行時刻からの経過時間が予め定められている時間内（３０分以内）でないと判定した場合、コピー等によって作成された偽造券である可能性が高いと判断し、ｓ５６で、改札通路における利用者の通行（駅構内への入場）を禁止する。
【００５３】
このように、入場用自動改札機１ａは、キップから読み取った乗車券情報によって、発行時刻からの経過時間が予め定められている時間内でないと判定した場合、改札通路における利用者の通行を禁止する。したがって、券売機２で発行されたキップをコピーして偽造券を得るのに要する時間を考慮して、改札通路における利用者の通行を許可しないと判定するキップの発行時刻からの経過時間を設定しておけば、コピー等によって作成された偽造券に対するセキュリティを確保することができる。
【００５４】
入場用自動改札機１ａは、ｓ５７で発行時刻からの経過時間が予め定められた時間内であると判定すると、記憶部１２に記憶している発行情報を検索し、該当する発行情報があれば、その発行情報を読み出す（ｓ５８、ｓ５９）。入場用自動改札機１ａは、今回取得した乗車券情報の発行番号をキーにして記憶部１２に記憶している発行情報を検索する。入場用自動改札機１ａは、記憶部１２に該当する発行情報を記憶していなければ、今回使用されたキップを偽造券（券売機２で発行されていないキップ）と判断し、ｓ５６で改札通路における利用者の通行を禁止する。
【００５５】
入場用自動改札機１ａは、記憶部１２から該当する発行情報を読み出すと、この発行情報に含まれている処理状態コードが未処理であるかどうかを判定する（ｓ６０）。上述したように、駅サーバ３から入場用自動改札機１ａに送信されてきた時点では、発行情報の処理状態コードは未処理である。また、後述するように、いずれかの入場用自動改札機１ａで使用されたキップについては、発行情報の処理状態コードは処理済に更新される。したがって、発行情報の処理状態コードが処理済である場合、今回のキップの使用が最初ではない。入場用自動改札機１ａは、ｓ６０で処理状態コードが処理済であると判定すると、キップの不正使用であると判断し、ｓ５６で改札通路における利用者の通行を禁止する。
【００５６】
入場用自動改札機１ａは、ｓ６０で処理状態コードが未処理であると判定すると、ｓ５４で取得した乗車券情報の各項目と、ｓ５９で記憶部１２から読み出した発行情報と、を項目毎に照合し、これらが一致しているかどうかを判定する（ｓ６１）。入場用自動改札機１ａは、両情報に一致していない項目が１つでもあると、偽造券であると判断し、ｓ５６で改札通路における利用者の通行を禁止する。入場用自動改札機１ａは、ｓ６１で両情報の全ての項目が一致していると判定すると、改札通路における利用者の通行を許可する（ｓ６２）。ｓ６２では、扉開閉部１５が改札通路の出口側に設けられている扉を開する。また、入場用自動改札機１ａは、今回改札通路の通行を許可した利用者が使用したキップに該当する発行情報の処理状態コードを未処理から、処理済に更新する（ｓ６３）。入場用自動改札機１ａは、利用者が改札通路を通って駅構内に入場すると（ｓ６４）、今回使用されたキップの発行番号を含む処理済通知を駅サーバ３に送信する（ｓ６５）。入場用自動改札機１ａは、設置されている駅が一般駅であるか、２ラッチ乗継駅であるかにかかわらず、このｓ５７〜ｓ６５にかかる処理を実行する。このｓ５７〜ｓ６５にかかる処理は、設置されている駅の券売機で発行されたキップによる改札処理である。
【００５７】
図１２、および図１３に示すように、駅サーバ３は、入場用自動改札機１ａから処理済通知を受信すると（ｓ２１）、この処理済通知に基づいて、記憶している該当する発行情報の処理済コードを未処理から処理済に更新する（ｓ２２）。さらに、駅サーバ３ａは、今回受信した処理済通知を設置されている駅の入場用自動改札機１ａに送信する（ｓ２３）。すなわち、駅サーバ３ａは、設置されている駅の入場用自動改札機１ａから送信されてきた処理済通知を受信すると、この受信した処理済通知を設置されている駅の他の入場用自動改札機１ａに転送する。この処理済通知の送信は、入場用自動改札機１ａに対する一斉同報配信により行われる。すなわち、この処理済通知は、送信元の自動改札機１ａにも送信される。駅サーバ３は、設置されている駅が一般駅であるか、２ラッチ乗継駅であるかにかかわらず、このｓ２１〜ｓ２３にかかる処理を実行する。
【００５８】
図１６、および図１８に示すように、入場用自動改札機１ａは、駅サーバ３から処理済通知を受信すると（ｓ６６）、記憶部１２に記憶している発行情報を検索し（ｓ６７）、該当する発行情報の処理状態コードを未処理から、処理済に更新する（ｓ６８）。このように、いずれかの入場用自動改札機１ａで改札処理されたキップは、他の入場用自動改札機１ａが記憶している発行情報についても処理状態コードが未処理から処理済に更新される。したがって、券売機２が発行したキップが、発行駅で複数回使用される、不正使用に対するセキュリティを確保することができる。
【００５９】
なお、入場用自動改札機１ａは、自機で処理したキップについての処理済通知を受信したときには、ｓ６３で、すでに該当する発行情報の処理状態コードを未処理から処理済に更新しているので、実質的にはｓ６８にかかる処理で、該当する発行情報の処理状態コードを未処理から処理済に更新するわけではない。また、このｓ６３にかかる処理をなくし、自機で通行処理したキップについても、ｓ６８で該当する発行情報の処理状態コードを未処理から処理済に更新するようにしてもよい。
【００６０】
このように、この駅務システムによれば、コピー等による偽造券に対するセキュリティの向上が図れるとともに、券売機２が発行したキップが発行駅で複数回使用される、不正使用に対するセキュリティも確保できる。
【００６１】
また、上述したｓ６３、ｓ６８にかかる処理を、該当する発行情報を記憶部１２から削除する削除処理に置き換えてもよい。このようにすれば、記憶部１２が記憶する発行情報の総数が低減されるので、記憶部１２に記憶している発行情報の検索処理にかかる時間の短縮が図れ、その結果、改札通路における利用者の通行可否の判定に要する時間が短縮できる。また、記憶する発行情報の総数の低減に加えて、発行情報から処理状態コードをなくすこともできるので、記憶部１２に必要な記憶容量が一層抑えられる。
【００６２】
次に、出場用自動改札機１ｂの改札処理にかかる動作について説明する。図１９〜図２１に示すように、出場自動改札機１ｂは、改札通路を通って駅構内から出場する利用者が読取部１３に翳したキップに印刷されている２次元バーコードを読取部１３で読み取ると（ｓ９３）、ここで読み取った２次元バーコードから乗車券情報を取得する（ｓ９４）。出場用自動改札機１ｂは、ｓ９４で取得した乗車券情報に基づいて、キップの価値と、発行駅から設置されている駅までの運賃と、を比較し、運賃不足でないかどうかを判定する（ｓ９５）。出場用自動改札機１ｂは、ｓ９５で運賃不足であると判定すると、改札通路における利用者の通行（駅構内からの出場）を禁止する（ｓ９６）。ｓ９６では、扉開閉部１５が改札通路の出口側に設けられている扉を閉する。
【００６３】
出場用自動改札機１ｂは、ｓ９５で運賃不足でないと判定すると、ｓ９４で取得した乗車券情報の発行番号が、記憶部１２にネガ情報として記憶しているかどうかを判定する（ｓ９７）。このネガ情報は、上述したように、出場用自動改札機１ｂが設置されている駅で、いずれかの出場用自動改札機１ｂで出場にかかる改札処理がすでに行われたキップの発行番号を含む情報である。出場用自動改札機１ｂは、ｓ９７で、記憶部１２にネガ情報として記憶している発行番号であると判定すると、すなわち今回の使用が最初ではないキップであると判定すると、ｓ９６で改札通路における利用者の通行を禁止する。したがって、出場駅においても、キップの複数回使用に対するセキュリティを確保することができる。
【００６４】
一般駅に設置されている出場用自動改札機１ｂａは、図１９に示すように、ｓ９７で記憶部１２にネガ情報として記憶していない発行番号であると判定すると、改札通路における利用者の通行を許可する（ｓ９８）。ｓ９８では、扉開閉部１５が改札通路の出口側に設けられている扉を開する。また、出場用自動改札機１ｂａは、今回改札通路の通行を許可した利用者が使用したキップの発行番号をネガ情報として記憶部１２に記憶する（ｓ９９）。また、一般駅に設置されている出場用自動改札機１ｂａは、利用者が改札通路を通って駅構内から出場すると（ｓ１００）、今回使用されたキップの発行番号を含むネガ情報を作成し、駅サーバ３ａに送信する（ｓ１０１）。
【００６５】
一方、２ラッチ乗継駅に設置されている出場用自動改札機１ｂｂは、図２１に示すように、記憶部１２にネガ情報として記憶していない発行番号であると判定すると、記憶部１２に記憶している乗継券情報を検索し（ｓ１０４）、該当する乗継券情報がなければ（ｓ１０５）、上述したｓ９８〜ｓ１０１にかかる処理を実行する。出場用自動改札機１ｂｂは、利用者が設置されている駅で出場し、他方の駅で入場して線路を乗り継ぐことができるキップについて乗継券情報を、上述したｓ９２で記憶している。すなわち、ｓ１０４、ｓ１０５では、線路を乗り継ぐことができるキップであるかどうかを判定している。
【００６６】
なお、この判定は、乗継券情報を用いなくてもキップの券面に印刷されている発行情報に基づいて判定することもできるが、このキップが券売機２で発行されたキップであるか、偽造券であるかの判定精度を高めるために、ｓ１０４、ｓ１０５にかかる処理を行っている。
【００６７】
２ラッチ乗継駅に設置されている出場用自動改札機１ｂｂは、ｓ１０５で該当する乗継券情報があると、この乗継券情報に通過時刻（この時点の時刻）、および出場駅コード（自機が設置されている駅を示すコード）を追加した乗継者出場情報を作成する（ｓ１０６）。そして、２ラッチ乗継駅に設置されている出場用自動改札機１ｂｂは、ｓ１０７〜ｓ１１０で、上述したｓ９８〜ｓ１０１と同じ処理を実行し、さらにｓ１０６で作成した乗継者出場情報を駅サーバ３ｂに送信する（ｓ１１１）。
【００６８】
図１２、および図１３に示すように、駅サーバ３は、出場用自動改札機１ｂから送信されてきたネガ情報を受信すると（ｓ２４）、受信したネガ情報を、設置されている駅の出場用自動改札機１ｂに送信する（ｓ２５）。上述したように、設置されている駅が一般駅であるか、２ラッチ乗継駅であるかにかかわらず、出場用自動改札機１ｂがネガ情報を駅サーバ３に送信することから、駅サーバ３は、設置されている駅が一般駅であるか、２ラッチ乗継駅であるかにかかわらず、このｓ２４、ｓ２５にかかる処理を実行する。出場用自動改札機１ｂは、図１９、および図２０に示すように、駅サーバ３から送信されてきたネガ情報を受信すると（ｓ１０２）、受信したネガ情報を記憶部１２に記憶する（ｓ１０３）。このように、出場用自動改札機１ｂは、設置されている駅で出場処理されたキップの発行番号をネガ情報として記憶部１２に記憶する。
【００６９】
また、２ラッチ乗継駅に設置されている駅サーバ３ｂは、図１４に示すように、出場用自動改札機１ｂｂから送信されてきた乗継者出場情報を受信すると（ｓ２６）、今回受信した乗継者出場情報をセンタ装置４に転送する（ｓ２７）。一般駅に設置されている駅サーバ３ａは、出場用自動改札機１ｂａから乗継者出場情報が送信されてくることがないので、このｓ２６、ｓ２７にかかる処理を実行することはない。
【００７０】
センタ装置４は、図１５に示すように、駅サーバ３ｂから送信されてきた乗継者出場情報を受信すると（ｓ４５）、今回受信した乗継者出場情報に含まれている出場駅コードから、今回受信した乗継者出場情報にかかる利用者が線路を乗り継ぐ場合に、この利用者にとって入場側になる２ラッチ乗継駅を抽出する（ｓ４６）。例えば、出場駅コードが駅Ｂである乗継者出場情報を受信したときには、ｓ４６で駅Ｃを抽出する。反対に出場駅コードが駅Ｃである乗継者出場情報を受信したときには、ｓ４６で駅Ｂを抽出する。センタ装置４は、ｓ４６で抽出した駅に設置されている駅サーバ３ｂに、今回受信した乗継者出場情報を送信する（ｓ４７）。センタ装置４は、一般駅に設置されている駅サーバ３ａに対して、乗継者出場情報を送信することはない。
【００７１】
駅サーバ３ｂは、図１４に示すように、センタ装置４から送信されてきた乗継者出場情報を受信すると（ｓ２８）、この乗継者出場情報を記憶部３２に記憶するとともに、設置されている駅の入場用自動改札機１ａｂに送信する（ｓ２９、ｓ３０）。２ラッチ乗継駅の入場用自動改札機１ａｂは、図１８に示すように、駅サーバ３ｂから送信されてきた乗継者出場情報を受信すると（ｓ６９）、受信した乗継者出場情報を記憶部１２に記憶する（ｓ７０）。このように、２ラッチ乗継駅の入場用自動改札機１ａｂは、設置されている駅の券売機２で発行されたキップの発行情報に加えて、利用者が乗継のために入場することができるキップについて乗継者出場情報を記憶部１２に記憶する。
【００７２】
ここで、２ラッチ乗継駅に設置されている入場用自動改札機１ａｂが、上述したｓ５５で、設置されている駅で発行されたキップでないと判定した場合の処理について説明する。図１７に示すように、入場用自動改札機１ａｂは、記憶部１２に記憶している乗継者出場情報を検索し、ｓ５４で取得した乗車券情報に該当する乗継者出場情報があれば、その乗継者情報を読み出す（ｓ７１、ｓ７２）。入場用自動改札機１ａｂは、今回取得した乗車券情報の発行番号をキーにして記憶部１２に記憶している乗継者出場情報を検索する。入場用自動改札機１ａｂは、記憶部１２に該当する乗継者出場情報を記憶していなければ、今回使用されたキップを偽造券と判断し、ｓ５６で改札通路における利用者の通行を禁止する。
【００７３】
入場用自動改札機１ａｂは、該当する乗継者出場情報を記憶部１２に記憶していると、この乗継者出場情報に含まれている処理状態コードが未処理であるかどうかを判定する（ｓ７３）。駅サーバ３ｂから入場用自動改札機１ａｂに送信されてきた時点では、乗継者出場情報の処理状態コードは未処理である。また、後述するように、いずれかの入場用自動改札機１ａｂで使用されたキップについては、乗継者出場情報の処理状態コードは処理済に更新されている。したがって、乗継者出場情報の処理状態コードが処理済である場合、今回の使用が最初ではない。入場用自動改札機１ａｂは、ｓ７３で処理状態コードが処理済であると判定すると、キップの不正使用であると判断し、ｓ５６で改札通路における利用者の通行を禁止する。
【００７４】
入場用自動改札機１ａｂは、ｓ７３で未処理であると判定すると、乗継者出場情報に含まれている通過時刻からの経過時間が、予め定めた乗継可能時間内であるかどうかを判定する（ｓ７４）。この乗継可能時間は、２ラッチ乗継駅の一方の駅から他方の駅に移動するのに要する時間等を考慮してきめておけばよい。入場用自動改札機１ａｂは、乗継可能時間内でないと判定すると、ｓ５６で改札通路における利用者の通行を禁止する。反対に、乗継可能時間内であると判定すると、ｓ５４で取得した乗車券情報の各項目と、記憶部１２から読み出した乗継者出場情報と、を項目毎に照合し、これらが一致しているかどうかを判定する（ｓ７５）。入場用自動改札機１ａｂは、両情報に一致していない項目が１つでもあると、偽造券であると判断し、ｓ５６で改札通路における利用者の通行を禁止する。入場用自動改札機１ａｂは、ｓ７５で両情報の全ての項目が一致していると判定すると、改札通路における利用者の通行を許可する（ｓ７６）。また、入場用自動改札機１ａｂは、今回改札通路の通行を許可した利用者が使用したキップに該当する乗継者出場情報の処理状態コードを未処理から、処理済に更新する（ｓ７７）。入場用自動改札機１ａｂは、利用者が改札通路を通って駅構内に入場すると（ｓ７８）、今回使用されたキップの発行番号を含む乗継者入場通知を駅サーバ３ｂに送信する（ｓ７９）。
【００７５】
駅サーバ３ｂは、図１４に示すように、入場用自動改札機１ａｂから送信されてきた乗継者入場通知を受信すると、記憶部３２に記憶している該当する乗継者出場情報の処理済コードを未処理から処理済に更新する（ｓ３１）。さらに、駅サーバ３ｂは、今回受信した乗継者入場通知を設置されている駅の入場用自動改札機１ａｂに送信する（ｓ３２）。すなわち、駅サーバ３ｂは、設置されている駅の入場用自動改札機１ａｂから送信されてきた乗継者入場通知を受信すると、この受信した乗継者入場通知を設置されている駅の他の入場用自動改札機１ａｂに転送する。この乗継者入場通知の送信は、入場用自動改札機１ａｂに対する一斉同報配信により行われる。すなわち、この乗継者入場通知は、送信元の自動改札機１ａｂにも送信される。
【００７６】
入場用自動改札機１ａｂは、駅サーバ３ｂから乗継者入場通知を受信すると（ｓ８０）、記憶部１２に記憶している乗継者出場情報を検索し（ｓ８１）、該当する乗継者出場情報の処理状態コードを未処理から、処理済に更新する（ｓ８２）。このように、いずれかの入場用自動改札機１ａｂで改札処理されたキップにかかる乗継者出場情報は、他の入場用自動改札機１ａｂが記憶している乗継者出場情報についても処理状態コードが未処理から処理済に更新される。したがって、同じキップが２ラッチ乗継駅での入場に複数回使用される、不正使用に対するセキュリティが確保できる。
【００７７】
なお、入場用自動改札機１ａは、自機で処理したキップについての乗継者入場通知を受信したときには、すでに該当する乗継者出場情報の処理状態コードを未処理から処理済に更新しているので、実質的にはｓ８２にかかる処理で、該当する乗継者出場情報の処理状態コードを未処理から処理済に更新するわけではない。また、ｓ７７にかかる処理をなくし、自機で通行処理したキップについても、ｓ８２で該当する発行情報の処理状態コードを未処理から処理済に更新するようにしてもよい。
【００７８】
このように、２ラッチ乗継駅に設置されている出場用自動改札機１ｂｂは、線路の乗継のために出場することができるキップについて乗継券情報を取得し、取得した乗車券情報を記憶部１２に記憶する。そして、乗継券情報を記憶しているキップが使用されたときに、このキップについて乗継者通過情報を出力する。
【００７９】
一方、２ラッチ乗継駅に設置されている入場用自動改札機１ａｂは、出場用自動改札機１ｂｂが出力した乗継者通過情報を取得し、これを記憶部１２に記憶する。そして、乗継券情報を記憶しているキップが使用されたときに、利用者に対して線路の乗継のための入場を許可する。
【００８０】
したがって、２ラッチ乗継における利用者の線路の乗り換えを、適正に処理することができる。
【００８１】
なお、上記説明では、乗車券情報を２次元バーコードでキップの表面に印刷するとしたが、光学的に読み取り可能であれば、１次元バーコード等の他の形式で乗車券情報をキップの表面に印刷する構成であってもよい。
【００８２】
また、上記の説明では、各駅の駅サーバ３間での通信は、センタ装置４を介して行われる構成であったが、駅サーバ３間で直接通信する構成であってもよい。この場合、上述したセンタ装置４の機能を駅サーバ３に設ければよい。
【図面の簡単な説明】
【００８３】
【図１】２ラッチ乗継駅がある線路網を示す概略図である。
【図２】２ラッチ乗継駅がある線路網を管理する駅務システムの構成を示す概略図である。
【図３】自動改札機の主要部の構成を示すブロック図である。
【図４】券売機の主要部の構成を示す図である。
【図５】券売機で発行されたキップを示す図である。
【図６】駅サーバの構成を示す図である。
【図７】センタ装置の構成を示す図である。
【図８】発行情報を示す図である。
【図９】乗車券情報を示す図である。
【図１０】乗継者出場情報を示す図である。
【図１１】券売機におけるキップの発行処理を示すフローチャートである。
【図１２】一般駅に設置されている駅サーバの動作を示すフローチャートである。
【図１３】２ラッチ乗継駅に設置されている駅サーバの動作を示すフローチャートである。
【図１４】２ラッチ乗継駅に設置されている駅サーバの動作を示すフローチャートである。
【図１５】センタ装置の動作を示すフローチャートである。
【図１６】一般駅に設置されている入場用自動改札機の動作を示すフローチャートである。
【図１７】２ラッチ乗継駅に設置されている入場用自動改札機の動作を示すフローチャートである。
【図１８】２ラッチ乗継駅に設置されている入場用自動改札機の動作を示すフローチャートである。
【図１９】一般駅に設置されている出場用自動改札機の動作を示すフローチャートである。
【図２０】２ラッチ乗継駅に設置されている出場用自動改札機の動作を示すフローチャートである。
【図２１】２ラッチ乗継駅に設置されている出場用自動改札機の動作を示すフローチャートである。
【符号の説明】
【００８４】
１−自動改札機
１ａ、１ａａ、１ａｂ−入場用自動改札機
１ｂ、１ｂａ、１ｂｂ−出場用自動改札機
２−券売機
３、３ａ、３ｂ−駅サーバ
１１−制御部
１２−記憶部
１３−読取部
１４−通信部
１５−扉開閉部
【図１】
0005262035.tif 000002
【図２】
0005262035.tif 000003
【図３】
0005262035.tif 000004
【図４】
0005262035.tif 000005
【図５】
0005262035.tif 000006
【図６】
0005262035.tif 000007
【図７】
0005262035.tif 000008
【図８】
0005262035.tif 000009
【図９】
0005262035.tif 000010
【図１０】
0005262035.tif 000011
【図１１】
0005262035.tif 000012
【図１２】
0005262035.tif 000013
【図１３】
0005262035.tif 000014
【図１４】
0005262035.tif 000015
【図１５】
0005262035.tif 000016
【図１６】
0005262035.tif 000017
【図１７】
0005262035.tif 000018
【図１８】
0005262035.tif 000019
【図１９】
0005262035.tif 000020
【図２０】
0005262035.tif 000021
【図２１】
0005262035.tif 000022